(57)【特許請求の範囲】
【請求項１】
少なくとも２つのレールが相互にスライド可能に組み付けられ、所定のスライド位置でこれらのレールのスライドをロックするロック機構を備えたスライドレールであって、
前記ロック機構は、
一方のレールに設けられた係合部と、
他方のレールに取り付けられ、前記係合部に向かって突出する態様で折り曲げられた弾性を有する折り曲げ部を有し、前記折り曲げ部には前記係合部と係合する被係合部が形成され、前記一方のレールと前記他方のレールの所定のスライド位置で前記係合部が前記被係合部と係合するロックプレートと、
前記ロックプレートと機械的に連結されたロック解除レバーと
を備え、
前記ロック解除レバーに操作力を付与したときに、この操作力によって前記ロックプレートに引張力を作用させ、この引張力によって前記折り曲げ部の弾性力に抗して前記折り曲げ部の前記係合部への突出長さを小さくし、前記係合部と前記被係合部との係合を解除する一方、
前記ロック解除レバーの操作力を解除したときに、前記折り曲げ部の突出長さが復帰する弾性力によって前記ロック解除レバーを自動的に元の位置に復帰させることを特徴とするスライドレール。
【請求項２】
前記係合部が係合突起または係合凹部であり、前記被係合部が係合凹部または係合突起であることを特徴とする請求項１に記載のスライドレール。
【請求項３】
前記ロック解除レバーと前記ロックプレートとをロック解除プレートを用いて連結し、前記ロック解除プレートを前記他方のレール内に組み付けて、前記他方のレールに沿ってスライド可能に構成したことを特徴とする請求項１に記載のスライドレール。
【請求項４】
前記ロックプレートに係止孔または係止爪を設け、前記ロック解除プレートに係止爪または係止孔を設け、一方の係止爪を他方の係止孔に係止して前記ロックプレートと前記ロック解除プレートとを連結したことを特徴とする請求項３に記載のスライドレール。
【請求項５】
前記折り曲げ部は、頂部を有する山形形状に折り曲げられていることを特徴とする請求項１に記載のスライドレール。
【請求項６】
前記ロック機構は、前記ロック解除レバーを利用者が押し下げることで操作力が付与されるようになっていることを特徴とする請求項１に記載のスライドレール。
【発明の詳細な説明】
【技術分野】
【０００１】
本発明は、引出をスムースに引き出すためのスライドレールに関するものであり、特に、引出を引き出した状態で強制的に保持するロック機構を備えたスライドレールに関する。
【背景技術】
【０００２】
従来、引出などの側部には、この引出を容易に引き出せるようにするために、スライドレールを取り付けたものがある。一般的なスライドレールとしては、例えば、引出側に取り付けられる支持レールと、この引出が引き出される本体側に取り付けられる固定レールとを備えており、支持レールが固定レールの内部を引出方向に沿ってスライド移動するような構造となっている。また、支持レールと固定レールとの間に中間レールを介在させ、３つのレールを用いて引出をスライドさせるものもある。
【０００３】
また、このスライドレールには、引出を完全に引き出した状態で、この引出を強制的に保持するためのロック機構が設けられたものがある。このロック機構には、例えば、固定レール或いは中間レール側に係合突起が設けられ、支持レール側にロック用プレートが設けられている。このロック用プレートは、係合突起と係合する係合凹部を有し、この係合凹部が弾性によって係合突起に向けて付勢されている。これにより、支持レールが所定の位置（引出が引き出された位置）に到達したときに、係合突起が係合凹部に嵌り込み、ロックされるようになっている。
【０００４】
また、このロック機構には、ロック解除レバーの引き上げ動作と連動してスライド移動するロック解除プレートが設けられている。このロック解除プレートは、ロック解除レバーを引き上げる人力によって係合突起と係合凹部との間に入り込み、ロックプレートの弾性に抗して係合凹部を押し下げて、ロック（嵌合）を解除するようになっている。また、このロック解除プレートは、別途設けられたコイルばねによって、ロック解除レバーを下げる（引き上げたロック解除レバーを元の位置に戻す）方向へ付勢されており、ロック解除後にロック解除レバーから手を離すと、ロック解除レバーが自動的に元の位置に復帰するようになっている（例えば、特許文献１、２参照）。
【先行技術文献】
【特許文献】
【０００５】
【特許文献１】特開２００４−０５７５６７号公報
【特許文献２】特開２００４―２９８４３３号公報
【発明の概要】
【発明が解決しようとする課題】
【０００６】
しかしながら、上述した技術では、ロック解除レバーを自動的に復帰するために、ロック解除プレートを付勢するコイルばねを設けなければならず、部品点数が多くなると共にその機構が複雑になっていた。
【０００７】
本発明は、上述した事情を鑑みてなされたものであり、その目的は、ロックを解除するためのばねを別途設けることなく、ロック解除レバーを自動的に復帰させることができるスライドレールを提供することにある。
【課題を解決するための手段】
【０００８】
上述課題を解決するため、本発明は、少なくとも２つのレールが相互にスライド可能に組み付けられ、所定のスライド位置でこれらのレールのスライドをロックするロック機構を備えたスライドレールであって、前記ロック機構は、一方のレールに設けられた係合部と、他方のレールに取り付けられ、前記係合部に向かって突出する態様で折り曲げられた弾性を有する折り曲げ部を有し、前記折り曲げ部には前記係合部と係合する被係合部が形成され、前記一方のレールと前記他方のレールの所定のスライド位置で前記係合部が前記被係合部と係合するロックプレートと、前記ロックプレートと機械的に連結されたロック解除レバーとを備え、前記ロック解除レバーに操作力を付与したときに、この操作力によって前記ロックプレートに引張力を作用させ、この引張力によって前記折り曲げ部の弾性力に抗して前記折り曲げ部の前記係合部への突出長さを小さくし、前記係合部と前記被係合部との係合を解除する一方、前記ロック解除レバーの操作力を解除したときに、前記折り曲げ部の突出長さが復帰する弾性力によって前記ロック解除レバーを自動的に元の位置に復帰させることを特徴とする。
【０００９】
また、前記係合部が係合突起または係合凹部であり、前記被係合部が係合凹部または係合突起であってもよい。
【００１０】
また、前記ロック解除レバーと前記ロックプレートとをロック解除プレートを用いて連結し、前記ロック解除プレートを前記他方のレール内に組み付けて、前記他方のレールに沿ってスライド可能に構成することもできる。
【００１１】
また、前記ロックプレートに係止孔または係止爪を設け、前記ロック解除プレートに係止爪または係止孔を設け、一方の係止爪を他方の係止孔に係止して前記ロックプレートと前記ロック解除プレートとを連結してもよい。
【００１２】
さらに、前記折り曲げ部は、頂部を有する山形形状に折り曲げられていてもよい。
【００１３】
さらにまた、前記ロック機構は、前記ロック解除レバーを利用者が押し下げることで操作力が付与されるようにすることもできる。
【００１４】
また、前記ロック解除レバーの押圧部は、前記利用者が親指で押し下げるようになっており、前記押圧部を前記親指の形状に合わせて湾曲させてもよい。
【発明の効果】
【００１５】
本発明に係るスライドレールによれば、少なくとも２つのレールが相互にスライド可能に組み付けられ、所定のスライド位置でこれらのレールのスライドをロックするロック機構を備えたスライドレールであって、前記ロック機構は、一方のレールに設けられた係合部と、他方のレールに取り付けられ、前記係合部に向かって突出する態様で折り曲げられた弾性を有する折り曲げ部を有し、前記折り曲げ部には前記係合部と係合する被係合部が形成され、前記一方のレールと前記他方のレールの所定のスライド位置で前記係合部が前記被係合部と係合するロックプレートと、前記ロックプレートと機械的に連結されたロック解除レバーとを備え、前記ロック解除レバーに操作力を付与したときに、この操作力によって前記ロックプレートに引張力を作用させ、この引張力によって前記折り曲げ部の弾性力に抗して前記折り曲げ部の前記係合部への突出長さを小さくし、前記係合部と前記被係合部との係合を解除する一方、前記ロック解除レバーの操作力を解除したときに、前記折り曲げ部の突出長さが復帰する弾性力によって前記ロック解除レバーを自動的に元の位置に復帰させているので、ロック解除レバーは、ロックプレートの折り曲げ部の弾性力によって自動的に復帰するようになる。そのため、従来技術のようにロック解除レバーを復帰させるためのばねを設ける必要がない、その結果、従来と比較して、部品点数を削減することができると共に、ロック機構の構造を複雑にしないで構成することができる。また、ロック解除レバーの操作によってロックプレートが引っ張られてロックが解除されるので、従来公報のようにロックプレートが押されて解除される構成と比較して、よりスムースに解除動作が行われるようになる。
【図面の簡単な説明】
【００１６】
【図１】本発明の実施の形態に係るスライドレールを備えた引出式収納庫の斜視図である。
【図２】スライドレールの手前側に設けられたロック機構の斜視図である。
【図３】図２に示すロック機構の分解斜視図である。
【図４】ロック機構のロック解除前の状態を示す正面図である。
【図５】ロック機構のロック解除後の状態を示す正面図である。
【図６】図４および図５のロック解除レバー部分の拡大図である。
【図７】図４のＡ−Ａ断面図であって、前側スライドレールおよび中間レールを省略した図である。
【図８】図７のＢ部の拡大図であって、ロックプレートと中間レールとの係合状態を示した図である。
【図９】図７のＢ部の拡大図であって、ロックプレートと中間レールとの係合解除状態を示した図である。
【図１０】本発明の変形例であって、ロック解除レバー部分の拡大図である。
【発明を実施するための形態】
【００１７】
以下、本発明の実施の形態に係るスライドレールについて、図面を用いて詳細に説明する。図１は、本発明の実施の形態に係るスライドレール１を備えた引出式収納庫２の斜視図である。
【００１８】
なお、以下の説明では、前側とは、図１に示す利用者３の手前側をいい、後側とは、利用者３から見て奥側をいうものとする。また、上下、左右の方向は、図１の利用者３から見た方向をいうものとする。
【００１９】
引出式収納庫２は、図１に示すように、手前側に引き出して使用する引出４、手前側に開く引戸６、食器などを置く棚７などが一体に設けられたものであり、これらが利用者３の使用し易い位置に合わせて配設されている。この引出式収納庫２としては、例えば、システムキッチンなどで使用される食器収納棚がある。
【００２０】
この引出式収納庫２の最下段には、図１に示すように、手前側に引き出して使用する引出４が設けられている。この引出４の左右両側には、引出４を前後方向に案内するスライドレール１がそれぞれ設けられている。このスライドレール１によって、例えば、女性の力であっても引出４がスムースに引き出せるようにしている。なお、この引出４の底面にキャスター（図示せず）を設けることで、さらに引出４を小さな力で引き出せるようにしてもよい。
【００２１】
上述したスライドレール１は、３つのレール（引出４側に取り付けられる支持レール１１、引出収納庫２側に取り付けられる固定レール１３、支持レール１１と固定レールの間をスライドする中間レール１２。これらの詳細は後述する。）によって構成されている。これらの支持レール１１と中間レール１２、および、中間レール１２と固定レール１３が相互にスライド移動することで、引出４を前後方向に案内している。
【００２２】
また、最下段の引出４には、図１に示すように、その上側開口部を塞ぐように、踏み板５が着脱可能に設けられている。この踏み板５は、背の低い利用者３でも上側の引戸６の取っ手６ａに手が届くように、利用者３が上に乗ることができるように構成されている。また、この踏み板５を取り外して、引出４の内部に物を収納することもできるようになっている。
【００２３】
さらに、上述したスライドレール１には、踏み板５に利用者３が乗っているときに引出４が自然に閉じるのを防止するための第１ロック機構１０および第２ロック機構（図示せず）が設けられている。第１ロック機構１０は、詳細は後述するが、支持レール１１と中間レール１２をロックするためのものである。また、第２ロック機構は、中間レール１２と固定レール１３をロックするためのものである。
【００２４】
図２は、支持レール１１と中間レール１２とに設けられた第１ロック機構１０を示す斜視図である。また、図３は、図２の分解斜視図である。
なお、図２および図３において、紙面左斜め上側（引出側面側）に引出４の側面があり、紙面右斜め下側（引出外側）が引出４の外側になる。
【００２５】
また、スライドレール１および第１ロック機構１０は、左右で勝手違いに形成されており、その機能および構成は同じである。そのため、以下の説明では、引戸４の右側部に取り付けられるスライドレール１および第１ロック機構１０について説明し、左側についての説明は省略する。
【００２６】
スライドレール１は、図２および図３に示すように、支持レール１１と、この支持レール１１の後側に位置する中間レール１２と、この中間レール１２よりもさらに後側に位置する固定レール１３（図１参照）とを備えている。
【００２７】
支持レール１１は、図３に示すように、その断面形状が引出外側に開口を有するコ字形状に形成されている。この支持レール１１の上側および下側には、上下に波打つ形状に湾曲する嵌合部１１ａが形成されている。この嵌合部１１ａは、支持レール１１の長手方向（前後方向）に亘って延在している。
【００２８】
また、支持レール１１の上下に延びる起立面１１ｄには、この支持レール１１を左右に貫通する態様で取付孔１１ｂ、１１ｃがそれぞれ設けられている。この取付孔１１ｃには、取付ねじ２５（図４、図５参照）が挿通され、この取付ねじ２５によって支持レール１１が引出４の側面４ａに取り付けられる。
【００２９】
一方、中間レール１２は、図３に示すように、その断面形状が引出側面側に開口を有するコ字形状に形成されている。この中間レール１２の上側および下側には、上下に波打つ形状に湾曲し、上述した支持レール１１の嵌合部１１ａと嵌り合う嵌合部１２ａが形成されている。この嵌合部１２ａは、中間レール１２の長手方向（前後方向）に亘って延在している。
【００３０】
この嵌合部１２ａに支持レール１１の嵌合部１１ａを嵌合させ、中間レール１２の長手方向に沿って支持レール１１をスライドさせて挿入することによって、支持レール１１と中間レール１２とが組み付けられる。それぞれの嵌合部１１ａ、１２ａが嵌合している状態では、中間レール１２は支持レール１１に対して引出外側方向へガタがないように組み付けられるようになっている。
【００３１】
また、中間レール１２の上下に延びる起立面には、図２および図３に示すように、長手方向に沿って延在し、引出側面側に向かって凹む溝部１２ｃが形成されている。また、中間レール１２の前側の先端部には、この溝部１２ｃの底部からさらに引出側面側に向かって突出する係合突起１２ｂが設けられている。この係合突起１２ｂの機能については後述する。
【００３２】
なお、固定レール１３は、引出式収納庫２の内側部に固定されている。そして、中間レール１２は、この固定レール１３の内部にスライド移動が可能なように収容されている。
【００３３】
第１ロック機構１０は、図２および図３に示すように、支持レール１１と中間レール１２との間に設けられている。この第１ロック機構１０は、ロック解除プレート２０と、ロックプレート３０と、アーム４０と、解除レバー５０とを備えている。
【００３４】
ロック解除プレート２０は、図２および図３に示すように、支持レール１１の長手方向に沿って延びる板状部材で形成されている。このロック解除プレート２０は、前側に位置するレバー取付部２１ａと、中央に位置するスライド部２１ｂと、後側に位置するロックプレート取付部２１ｃとを備えている。
【００３５】
レバー取付部２１ａは、図３に示すように、その中央に取付孔２２が設けられている。また、レバー取付部２１ａは、スライド部２１ｂに対して階段状に折り曲げられており、スライド部２１ｂよりも引出外側に位置している。このレバー取付部２１ａには、図２に示すように、一段低くなっている引出側面側からアーム４０（詳細は後述する）があてがわれ、ねじ４３を介して取り付けられる。
【００３６】
スライド部２１ｂは、その上縁部２１ｄおよび下縁部２１ｅが支持レール１１の上下の嵌合部１１ａの内側に嵌り込み、支持レール１１の長手方向に沿ってスライドできるようになっている。すなわち、このスライド部２１ｂは、支持レール１１の端部からスライドさせて取り付けられる。このスライド部２１ｂには、図２および図３に示すように、３つの長孔２３が設けられている。この長孔２３は、支持レール１１の取付孔１１ｃの位置に対応して形成されており、ロック解除プレート２０がスライドする範囲内で、取付ねじ２５とスライド部２１ｂとが干渉しないようにしている。
【００３７】
ロックプレート取付部２１ｃは、図３に示すように、２つの係止孔２４が上下に並べて配設されている。また、このロックプレート取付部２１ｃは、レバー取付部２１ａと同様に、スライド部２１ｂに対して階段状に折り曲げられており、スライド部２１ｂよりも引出外側に位置している。このロックプレート取付部２１ｃには、図２に示すように、一段低くなっている引出側面側からロックプレート３０（詳細は後述する）が宛がわれて係止するようになっている。
【００３８】
ロックプレート３０は、図２および図３に示すように、支持レール１１の長手方向に沿って延在し、平面視において引出外側に向かって山形に折り曲げられている。このロックプレート３０は、前側に位置する係止部３１ａと、中央に位置する折り曲げ部３１ｂと、後側に位置する固定部３１ｃとを備えている。
【００３９】
係止部３１ａは、図３に示すように、その前側先端部に２つの係止爪３２が形成されている。この係止爪３２は、その先端部を引出外側に向かって折り曲げたものであり、上述したロックプレート取付部２１ｃの係止孔２４に対応する位置に設けられている。この係止爪３２は、引出側面側から引出外側に向けて係止孔２４に挿入されることにより係止されるようになっている。
【００４０】
折り曲げ部３１ｂは、図３に示すように、山形に折り曲げられている。この山形形状の頂部３３は、係合突起１２ｂ側（中間レール１２側、引出外側）に向かって突出しており、前側傾斜面３７ａと後側傾斜面３７ｂとが形成されている。この後側傾斜面３７ｂには、角形状の係合孔３４が形成されている。この係合孔３４には、詳細は後述するが、上述した中間レール１２の係合突起１２ｂが係合するようになっている。この折り曲げ部３１ｂは、この折り曲げられた形状によって、弾性を有する板ばねとして機能する。
【００４１】
固定部３１ｃは、図３に示すように、２つの取付孔３５が設けられている。この取付孔３５の位置は、支持レール１１の取付孔１１ｂの位置と対応している。この取付孔３５には、引出外側からねじ３６が挿入されて、支持レール１１の取付孔１１ｂに螺合される。これにより、固定部３１ｃが支持レール１１に取り付けられる。
【００４２】
アーム４０は、図２および図３に示すように、略Ｌ字形状に形成されている。このアーム４０は、上側に位置する解除レバー取付部４１ａと、下側のアーム部４１ｂとで構成されている。
【００４３】
解除レバー取付部４１ａは、図３に示すように、基端部から後側に向かって延びており、その上端部に折り曲げ部４４が形成されている。この折り曲げ部４４は、基端部から先端部まで連続して形成されており、引出外側に向かって折り曲げられている。また、この折り曲げ部４４の近傍には、詳細は後述する解除レバー５０を取り付けるための取付孔４２が設けられている。
【００４４】
アーム部４１ｂは、上下に延在しており、その下部に取付孔４２が形成されている。この取付孔４２にはねじ４３が挿通され、上述したロック解除プレート２０の取付孔２２に螺合される。これにより、アーム４０とロック解除プレート２０が取り付けられている。また、アーム部４１ｂの後側部には、切り欠き部４５が形成されている。
【００４５】
解除レバー５０は、図２および図３に示すように、前後方向に長尺な形状を有し、樹脂材料で一体に成形されている。この解除レバー５０の内部には、解除レバー取付部４１ａが取り付けられる中空部５１が設けられており、解除レバー取付部４１ａは、解除レバー５０の引出側面側の側部から挿入されて取り付けられるようになっている。
【００４６】
また、解除レバー５０の後側の上端部には、利用者３が親指３ａ（図１参照）で解除レバー５０を押し下げるための押圧部５２が形成されている。この押圧部５２は、その上面が後方に行くに従い上側に向かって湾曲する形状に形成されている。この湾曲形状は、利用者３の親指３ａの形状に合わせて形成されており、利用者３が解除レバー５０を押し下げ易くなるようにしている（図１および図４、図５参照）。
【００４７】
次に、本発明の実施の形態に係るスライドレール１の作用について、図４〜図９を用いて説明する。
図４は第１ロック機構１０のロック解除前の状態を示す正面図、図５は第１ロック機構１０のロック解除後の状態を示す正面図、図６は、図４および図５のロック解除レバー部分の拡大図であって、支持レール１１および中間レール１２を二点鎖線で示したものである。また、図７は、図４のＡ−Ａ断面図であって、支持レール１１および中間レール１２を省略して示したものである。さらに、図８は、図７のＢ部の拡大図であって、ロックプレートと中間レールとの係合状態を示した図、図９は、図７のＢ部の拡大図であって、ロックプレートと中間レールとの係合解除状態を示した図である。
なお、上述した図５〜図９では、ロック時を実線で示し、ロック解除時を点線で示している。
【００４８】
引出４を閉じた状態から手前側まで完全に開いたとき、支持レール１１は、図４に示すように、中間レール１２から前側にスライド移動して、第１ロック機構１０が作動する。同様に、中間レール１２は、図１に示すように、固定レール１３から前側にスライド移動して、図示しない第２ロック機構が作動する。
【００４９】
なお、この第２ロック機構は、中間レール１２が固定レール１３から突出した状態で、その状態をロックする。この第２ロック機構は、支持レール１１が後方に向かってスライドして中間レール１２の内部に完全に収納されたとき、支持レール１１の後端部が第２ロック機構のロックを解除する。第２ロック機構のロックが解除されると、中間レール１２は、固定レール１３の内部へ自由にスライド移動するようになる。
【００５０】
第１ロック機構１０が動作した状態では、図４、図７、図８に示したように、中間レール１２の係合突起１２ｂが、ロックプレート３０の係合孔３４に係合し、支持レール１１がスライド方向に自由に移動できないようになる。
【００５１】
より詳細には、ロックプレート３０の折り曲げ部３１ｂは、図７で実線で示すように、通常では、山形に折り曲げられた頂部３３が引出外側（中間レール１２の係合突起１２ｂ側）に向かって突出している。そして、支持レール１１が引出方向に移動すると、折り曲げ部３１ｂは係合突起１２ｂと接触する。そして、折り曲げ部３１ｂが弾性で移動方向６４へと押し下げられながら、支持レール１１がさらにスライド移動する。そして、係合孔３４が、係合突起１２ｂの位置まで移動したときに、折り曲げ部３１ｂが弾性によって自動復帰方向７４（係合突起１２ｂ側）へと突出し、ロックされるようになる（図８参照）。
【００５２】
このとき、引出４は、第１ロック機構１０および第２ロック機構によって完全に開いた状態が保持されているので、利用者３が引出４の上側開口を塞ぐ踏み板５に乗り、引出収納庫２の上側に位置する引戸６を自由に開閉することができるようになる（図１参照）。
【００５３】
一方、利用者３が引出４を閉じるときには、図１に示すように、引出４の両側に位置するブレーキ解除レバー５０を同時に親指３ａで押し下げ、ブレーキ解除レバー５０を押し下げ方向６１へ回動させる（図６参照）ことによって、第１ロック機構１０を解除する。
【００５４】
このとき、利用者３は、ブレーキ解除レバー５０を引き上げるのではなく、下側に押し下げることで第１ロック機構１０を解除できるので、例えば、自分の体重をブレーキ解除レバー５０に載せて押し下げることができる。これにより、女性の力でも容易にロックを解除することができる。
【００５５】
また、このブレーキ解除レバー５０を押し下げる動作は、押し下げ方向と引出４を閉じる方向とが大まかに同じ方向であるため、引出４を閉じる動作と一連に行うことができる。すなわち、従来技術のようにブレーキ解除レバーを引き上げる構造では、引き上げる方向と引出を閉じる方向が大きく異なるため、レバーを引き上げつつ引出を閉じるのが逆動作となってしまい、作業がやり難いという問題があった。これに対し、本発明の構造では、ブレーキ解除レバー５０の押し下げ動作と引出を閉じる動作とが大まかに同じ方向へ押す動作（一連の動作）となるため、作業を容易に行うことができるとともに、自分の体重を利用して、女性の力でも容易に行うことができる。
【００５６】
さらに、ブレーキ解除レバー５０の押圧部５２は、図４〜図６に示すように、上側に向かって緩やかに湾曲しながら突出しているので、親指３ａの形にフィットして押し易く、かつ、親指３ａが滑って下側にずれないようになる。
【００５７】
ロック解除レバー５０を押し下げると、図６に示すように、この押し下げ力（押圧力、操作力）によってアーム４０が後側へと傾き、アーム４０とロック解除プレート２０を固定するねじ４３の位置が移動方向６２へと移動長さ６３だけ移動する（移動後の位置を点線で示す）。より詳細には、アーム４０は、支持レール１１と当接して、回動中心Ｔ１を中心に押し下げ方向６１へと回動し、てこの原理によってねじ４３の位置が移動方向６２へと移動するようになる。
【００５８】
これにより、ロック解除プレート２０は、図５および図６に示すように、支持レール１１の内部で移動方向６２へスライド移動するようになる。ロック解除プレート２０が移動方向６２へ移動すると、図７に示すように、ロック解除プレート２０のロックプレート取付部２１ｃに取り付けられたロックプレート３０の係止部３１ａが移動方向６２へと引っ張られる。これにより、ロックプレート３０の折り曲げ部３１ｂは、その弾性によって図７の点線で示した位置へとたわむようになる。このとき頂部３３は、移動方向６４へ移動長さ６５だけ引出側面側（係止突起１２ｂと離れる方向）へと移動する。この移動長さ６５は、図９に示すように、係合孔３４を係止突起１２ｂから引き抜いて、係合を解除するのに十分な長さとなっている。これにより、第１ロック機構１０は、ロックが解除されるようになる。
【００５９】
ロックが解除された状態で、利用者３は引出４を押し込む。これにより、支持レール１１は、中間レール１２の内部へ完全にスライド収容されるようになる。そして、収容された支持レール１１の後側端部が第２ロック機構（図示せず）のロックを解除し、中間レール１２が固定レール１３の内部にスライド収納され、引出４が引出式収納庫２に収納された（閉じられた）状態になる。
【００６０】
また、ロック解除レバー５０は、第１ロック機構１０が解除されて、ロック解除レバー５０の押し下げ力が解除されると、自然に元の状態（図５の実線で示す状態）へと復帰する。より詳細には、ロックプレート３０の折り曲げ部３１ｂは、図７に示すように、自己の弾性によって、図７の点線の位置から再び実線の位置まで復帰（頂部３３が移動長さ６５だけ自動復帰方向７４へ移動）し、ロック解除プレート３０を自動復帰方向７２へと引張して移動させる。これにより、図６に示すように、固定ねじ４３も自動復帰方向７２へと移動し、ロック解除レバー５０が回動方向７１へと回動する。すなわち、ロックプレート３０の折り曲げ部３１ｂの弾性は、第１ロック機構１０のロック動作を行うために使用されると共に、ロック解除レバー５０を自動的に復帰させるために使用されるという２つの機能に使用される。
【００６１】
本発明の実施の形態に係るスライドレールによれば、第１ロック機構１０は、中間レール１２に設けられた係合突起１２ｂと、支持レール１１に取り付けられ、係合突起１２ｂに向かって突出する態様で折り曲げられた弾性を有する折り曲げ部３１ｂを有し、折り曲げ部３１ｂには係合凹部３４が形成され、中間レール１２と支持レール１１の所定のスライド位置で係合凹部３４が係合突起１２ｂと係合するロックプレート３０と、ロックプレート３０に機械的に連結されたロック解除レバー５０とを備え、ロック解除レバー５０に押し下げ力（操作力）を付与したときに、この押し下げ力によってロックプレート３０に引張力を作用させ、この引張力によって折り曲げ部３１ｂの弾性力に抗して折り曲げ部３１ｂの係合突起１２ｂへの突出長さを小さくし、係合突起１２ｂと係合凹部３４との係合を解除する一方、ロック解除レバー５０の押し下げ力を解除したときに、折り曲げ部３１ｂの突出長さが復帰する弾性力によってロック解除レバー５０を自動的に元の位置に復帰させるようにしているので、ロック解除レバー５０は、ロックプレート３０の折り曲げ部３１ｂの弾性力によって自動的に復帰するようになる。そのため、従来技術のようにロック解除レバーを復帰させるためのばねを設ける必要がない、その結果、従来と比較して、部品点数を削減することができると共に、第１ロック機構１０の構造を複雑にしないで構成することができる。
【００６２】
また、ロック解除レバー５０とロックプレート３０とをロック解除プレート２０を用いて連結し、ロック解除プレート２０を支持レール１１内に組み付けて、支持レール１１に沿ってスライド可能に構成しているので、ロック解除レバー５０の位置と、ロックプレート３０との位置が離れている場合であっても、ロック解除プレート２０を用いてこれらを連結することができる。また、ロック解除レバー５０の位置を任意の位置に設けることができ、特に、引出４の手前側に配置することができる。さらには、多種の引出に取り付ける場合であっても、ロック解除プレート２０のみをレールの長さに合わせて製作するだけで、ロック解除レバー５０およびロックプレート３０を標準化することができる。
【００６３】
また、ロックプレート３０に係止爪３２を設け、ロック解除プレート２０に係止孔２４を設け、一方の係止爪３２を他方の係止孔２４に係止して前記ロックプレートと前記ロック解除プレートとを連結しているので、ロックプレート３０とロック解除プレート２０を、支持レール１１の狭い内部で連結することができる。また、係止爪３２を係止孔２４に係止するだけなので、容易に組み付けることができる。
【００６４】
さらに、折り曲げ部３１ｂは、頂部３３を有する山形形状に折り曲げられているので、ロックプレート３０を折り曲げ部３１ｂで弾性を持たせることができる。これにより、この弾性を利用して、ロック機構のロックおよび解除を行うと共に、ロック解除レバー５０を自動復帰させることができる。
【００６５】
さらにまた、第１ロック機構１０は、ロック解除レバー５０を利用者３が親指３ａで押し下げることで操作力が付与されるようにしているので、例えば、利用者３の体重をブレーキ解除レバー５０に載せて押し下げることができる。また、ブレーキ解除レバー５０に体重をのせる動作と押し下げる動作を、利用者３が一連で行えるようになる。そのため、女性の力でも容易に第１ロック機構１０を解除することができると共に、ブレーキ解除レバー５０を押し下げつつ、引出４を容易に閉じることができる。
【００６６】
また、ロック解除レバー５０の押圧部５２を、利用者３の親指３ａの形状に合わせて湾曲させているので、親指３ａの形にフィットして押し易く、かつ、親指３ａが滑って下側にずれないようにすることができる。
【００６７】
以上、本発明の実施の形態に係るスライドレール１について述べたが、本発明は既述の実施形態に限定されるものではなく、本発明の技術思想に基づいて各種の変形および変更が可能である。
本実施の形態に係るスライドレール１は、３つのレール（支持レール１１、中間レール１２、固定レール１３）で構成されているが、引出の種類によっては２つのレールで構成することもできる。例えば、中間レール１２を設けず、支持レールと固定レールの２つで構成することもできる。この場合、固定レールの前側の先端部に係合突起を設け、この係合突起を支持レール１１のロックプレート３０の係合孔に係合・解除させるようにする。この構成によっても、解除レバー５０はロックプレート３０の弾性によって元の状態に復帰するようになり、復帰用のばねを別途設ける必要がなくなる。
【００６８】
また、本実施の形態では、ロックプレート３０の折り曲げ部３１ｂの折り曲げ形状を山形にしているが、これに限定されるものではない。すなわち、折り曲げ部３１ｂが突出方向において弾性を有し、ロック解除プレート２０からの引張力を受けて突出長さが小さくなるものであれば、例えば台形形状でもよく、その他の多角形状であっても構わない。これらの形状によっても、係合突起１２ｂと係合凹部３４との係合をその弾性によって解除することができると共に、この突出長さが復帰する弾性力によってロック解除レバー５０を自動的に元の位置に復帰させることができる。
【００６９】
さらに、本実施の形態では、ロック解除レバー５０とロックプレート３０とを、ロック解除プレート２０を用いて機械的に連結しているが、これに限定されない。すなわち、ロック解除レバー５０とロックプレート３０とを機械的に直接に連結できるのであれば、ロック解除プレート２０を用いずに構成することもできる。
すなわち、本実施の形態でロック解除プレート２０を設けているのは、ロック解除レバー５０からロックプレート３０までの長さを調節するためである。これにより、長さの異なるスライドレールを製作した場合であっても、ロック解除レバー５０とロックプレート３０は同一のもの（標準化したもの）が使用でき、ロック解除プレート２０のみをレールの長さに合わせて製作すればよい。
【００７０】
また、本実施の形態では、ロックプレート３０に係止爪３２を設け、ロック解除プレート２０に係止孔２４を設けているが、その逆の構成、すなわち、ロックプレート３０に係止孔を設け、ロック解除プレート２０に係止爪を設けてもよい。この構成によっても、ロックプレート３０とロック解除プレート２０を、支持レール１１の狭い内部で連結することができる。また、係止爪を係止孔に係止するだけなので、容易に組み付けることができる。
【００７１】
さらに、本実施の形態では、折り曲げ部３１ｂに係合孔３４を設けているが、孔でなくても構わない。すなわち、係合突起１２ｂと係合するものであれば、例えば、凹部であってもよく、他の係合可能な形状であっても構わない。
【００７２】
また、本実施の形態では、中間レール１２に係合突部１２ｂを設け、ロックプレート３０に係合凹部３４を設けているが、逆でも構わない。すなわち、中間レール１２に係合凹部を設け、ロックプレート３０側に係合突起を設けていても、本発明の効果を得ることができる。
【００７３】
また、本実施の形態では、ロック解除レバー５０を親指３ａで押し下げるようにしているが、親指３ａ以外の指であっても構わない。すなわち、利用者３が体重をのせてロック解除レバー５０を押し下げることができ、かつ、その動作が一連の動作で操作しやすいようになっていればよい。ただし、親指３ａが最も操作するのに好ましい。
【００７４】
さらにまた、本実施の形態では、第１ロック機構１０を解除するのに、ロック解除レバー５０を押し下げるようにしているが、引き上げる構造であっても構わない。図１０は、本発明（図６）の変形例であって、ロック解除レバー部分の拡大図である。
【００７５】
第１ロック機構１１０は、ロック解除プレート２０と、ロックプレート３０と、アーム１４０と、ロック解除レバー１５０とで構成されている。このロック解除レバー１５０は、図１０に示すように、通常状態では、後方斜め下側に向かって傾斜した状態で取り付けられており、ロック解除のときには、利用者３の引き上げ力（操作力）によって引き上げ方向１６１へと回動し、図１０における実線で示した位置に引き上げられる。また、アーム１４０には、その下側部分に、支持レール１１の下端部と当接するための突部１４７が一体に形成されている。
【００７６】
この引き上げ動作に伴い、アーム１４０も引き上げ方向１６１へと回動する。このとき、アーム１４０は、支持レール１１の下側と突部１４７によって構成される回動中心Ｔ２を中心に回動して引き上げられる。これにより、てこの原理によってねじ４３の位置が移動方向６２へと移動するようになる。
【００７７】
また、ロック解除レバー１５０は、第１ロック機構１１０が解除されて、ロック解除レバー５０の押し上げ力が解除されると、自然に元の状態（図１０の実線で示す状態）へと復帰する。この復帰動作は、本実施の形態で説明した動作と同じであるため、その詳細な説明は省略する。
【００７８】
このような構成であっても、本実施の形態のように、ロックプレート３０の折り曲げ部３１ｂの弾性によって、頂部３３の位置を変形・復帰させてロックを解除することができると共に、ロック解除レバー１５０の引き上げ力を解除したときにロック解除レバー５０をロック解除前の位置まで自動復帰させることができる。
【符号の説明】
【００７９】
１  スライドレール
２  引出式収納庫
３  利用者
３ａ  利用者の親指
４  引出
４ａ  引出の側部
５  踏み板
６  引戸
６ａ  取っ手
７  棚
１０  第１ロック機構（ロック機構）
１１  支持レール
１１ａ  嵌合部
１１ｂ、１１ｃ  取付孔
１１ｄ  起立面
１２  中間レール
１２ａ  嵌合部
１２ｂ  係合突起
１２ｃ  溝部
１３  固定レール
２０  ロック解除プレート
２１ａ  レバー取付部
２１ｂ  スライド部
２１ｃ  ロックプレート取付部
２１ｄ  上縁部
２１ｅ  下縁部
２２  取付孔
２３  長孔
２４  係止孔
２５  取付ねじ
３０  ロックプレート
３１ａ  係止部
３１ｂ  折り曲げ部
３１ｃ  固定部
３２  係止爪
３３  頂部
３４  係合孔（係合凹部）
３５  取付孔
３６  ねじ
３７ａ  前側傾斜面
３７ｂ  後側傾斜面
４０  アーム
４１ａ  解除レバー取付部
４１ｂ  アーム部
４２  取付孔
４３  ねじ
４４  折り曲げ部
４５  切り欠き部
５０  解除レバー
５１  中空部
５２  押圧部
６１  押し下げ方向
６２  ロック解除プレート移動方向
６３  ロック解除プレート移動長さ
６４  頂部の移動方向
６５  頂部の移動長さ
７１  自動復帰方向
７２  ロック解除プレート自動復帰方向
７４  頂部の自動復帰方向
１１０  第１ロック機構
１４０  アーム
１４７  突部
１５０  解除レバー
１６１  引き上げ方向
１７１  自動復帰方向
Ｔ１、Ｔ２  回動中心
【図１】
0005804923.tif 000002
【図２】
0005804923.tif 000003
【図３】
0005804923.tif 000004
【図４】
0005804923.tif 000005
【図５】
0005804923.tif 000006
【図６】
0005804923.tif 000007
【図７】
0005804923.tif 000008
【図８】
0005804923.tif 000009
【図９】
0005804923.tif 000010
【図１０】
0005804923.tif 000011